(57)【要約】      （修正有）【課題】ラッチ機構の機能の低下を抑制した電池パックと共にこの電池パックの脱落を防止した電動工具の提供。【解決手段】側面１１Ｂと、ハンドルと接続される接続部１２とを有し、側面１１Ｂから突出し第一位置と第二位置との間で移動可能な操作部１３Ａと、操作部１３Ａに接続されて操作部１３Ａが第一位置のときにハンドル３と係合する第一係合位置にあり、操作部１３Ａが第二位置のときにハンドルと係合不能な第二係合位置にある係合部１３Ｂと、操作部１３Ａを突出する方向に付勢する付勢部１３Ｃと、側面１３Ｂから突出する突起部１４Ａとを備えた電池パック１０であって、突起部１４Ａの突出量は、側面１１Ｂを下側として平面上に置かれた状態で側面１１Ｂの周縁と突起部１４Ａとが共に平面と当接したとき、操作部１３Ａが平面と非接触となるように設定された電池パック１０及び電動工具。【選択図】図３
2008066144.tif 000002
【特許請求の範囲】
【請求項１】
略方形の側面を有するハウジングと、
該ハウジングに設けられて電気機器と接続される接続部と、
該側面に配置されて、該側面より突出する第一位置と該第一位置より突出量が小さい第二位置との間で移動可能な操作部と、
該操作部に連動可能に接続されて該接続部に設けられ、該操作部が該第一位置にあるときに該電気機器と係合可能な第一係合位置に配置され、該操作部が該第二位置にあるときに該電気機器と係合不能な第二係合位置に配置される係合部と、
該操作部を該側面から突出する方向に付勢する付勢部と、を備えた電池パックであって、
該側面には、該側面から突出する突起部が設けられ、
該突起部の突出量は、該電池パックが該側面を下側として平面上に置かれた状態で該側面の周縁と該突起部とが共に該平面と当接したとき、該操作部が該平面と非接触となるか若しくは接触しつつも該第一位置または該第一位置と該第二位置との間にあるように設定されていることを特徴とする電池パック。
【請求項２】
該突出部の突出量は、該電池パックが該側面を下側として平面上に置かれた状態で該周縁と該突起部とが共に該平面と当接したとき、該操作部が該平面と非接触となるか若しくは接触しつつも該第一位置にあるように設定されていることを特徴とする請求項２に記載の電池パック。
【請求項３】
該ハウジングは、該側面と接続されて該接続部が設けられている上面と、該側面及び該上面と接続される後面と、該側面及び該後面と接続されて該後面の反対に位置する前面とを有し、
該操作部は、該側面の該前面近傍に配置され、
該周縁は、該側面と該後面との接続箇所から規定される後部側縁を有し、
該突出部は、該後部側縁と該操作部との間の側面に設けられ、該突出部と該後部側縁とが当接して該平面上に置かれることを特徴とする請求項１に記載の電池パック。
【請求項４】
該側面において、該突出部と該後部側縁との間に重心位置があることを特徴とする請求項３に記載の電池パック。
【請求項５】
該ハウジングは、該側面と接続されて該接続部が設けられている上面と、該側面と接続されて該上面の反対に位置する下面とを有し、
該操作部は、該側面の該上面近傍に配置され、
該周縁は、該側面と該下面との接続箇所から規定される下部側縁を有し、
該突出部は、該下部側縁と該操作部との間の側面に設けられ、該突出部と該下部側縁とが当接して該平面上に置かれることを特徴とする請求項１または請求項２のいずれかに記載の電池パック。
【請求項６】
該側面において、該突出部と該下部側縁との間に重心位置があることを特徴とする請求項５に記載の電池パック。
【請求項７】
出力部を有する本体部と、
該本体部から延出されて設けられた把持部と、
該把持部に着脱可能に設けられた電池パックとを備えた電動工具であって、
該電池パックは、
側面を有するハウジングと、
該ハウジングに設けられて該把持部と接続される接続部と、
該側面に配置されて、該側面より突出する第一位置と該第一位置より突出量が小さい第二位置との間で移動可能な操作部と、
該操作部に連動可能に接続されて該接続部に設けられ、該操作部が該第一位置にあるときに該把持部と係合可能な第一係合位置に配置され、該操作部が該第二位置にあるときに該把持部と係合不能な第二係合位置に配置される係合部と、
該操作部を該側面から突出する方向に付勢する付勢部と、を備え、
該側面には、該側面から突出する突起部が設けられ、
該突起部の突出量は、該電動工具が該側面を下側として平面上に置かれた状態で該本体部と共に該平面と床面と当接したとき、該操作部が該平面と非接触となるか若しくは接触して該第一位置または該第一位置と該第二位置との間にあるように設定されていることを特徴とする電動工具。
【請求項８】
該突出部の突出量は、該電動工具が該側面を下側として平面上に置かれた状態で該本体部と該突起部とが共に該平面と当接したとき、該操作部が該平面と非接触となるか若しくは接触して該第一位置にあるように設定されていることを特徴とする請求項７に記載の電動工具。
【請求項９】
出力部を有する本体部と、
該本体部から延出されて設けられた把持部と、
該把持部に着脱可能に設けられ側面を備える電池パックとを備えた電動工具であって、
該把持部は、
該電池パックを接続する被接続部と、
該被接続部近傍に配置されて、該電池パックが接続された状態で該側面から突出する第一位置と該第一位置より突出量が小さい第二位置との間で移動可能な操作部と、
該操作部に連動可能に接続されて該接続部に設けられ、該操作部が該第一位置にあるときに該電池パックと係合可能な第一係合位置に配置され、該操作部が該第二位置にあるときに該電池パックと係合不能な第二係合位置に配置される係合部と、
該操作部を側面から突出する方向に付勢する付勢部と、を有し
該電池パックは、
側面を有するハウジングと、
該ハウジングに設けられて該被接続部と接続される接続部と、
該接続部に設けられて該係合部と係合する被係合部と、を備え、
該側面には、該側面から突出する突起部が設けられ、
該突起部の突出量は、該電動工具が該側面を下側として平面上に置かれた状態で該本体部と共に該平面と床面と当接したとき、該操作部が該平面と非接触となるか若しくは接触して該第一位置または該第一位置と該第二位置との間にあるように設定されていることを特徴とする電動工具。
【請求項１０】
該突出部の突出量は、該電動工具が該側面を下側として平面上に置かれた状態で該本体部と該突起部とが共に該平面と当接したとき、該操作部が該平面と非接触となるか若しくは接触して該第一位置にあるように設定されていることを特徴とする請求項７に記載の電動工具。
【発明の詳細な説明】
【技術分野】
【０００１】
本発明は電池パック及び電池パックを用いた電動工具に関する。
【背景技術】
【０００２】
従来、電気を動力とする電動工具があり、この電動工具において、持ち運びの利便性を良くするために、電池パックを動力として動く電動工具がある。この電池パックは、内部にニッケル水素電池やリチウムイオン電池等を内蔵しており、特許文献１に示されるようにラッチ機構を備えて電動工具と脱着容易に構成されている。
【特許文献１】特開２００２−２６０６１８号公報
【発明の開示】
【発明が解決しようとする課題】
【０００３】
電池パックを着脱可能に備えた電動工具においては、電動工具を床などの平面に置いた場合に、電池パックを着脱するラッチ機構に含まれる操作部の位置が平面と当接する様な構成を採る場合がある。このような構成の電動工具を平面上に置くと、操作部が押されてラッチ機構が解除され、電池パックが電動工具から外れる場合があった。またラッチ機構が外れない場合であっても、操作部が常時押されることになり、ラッチ機構を構成するバネ等に悪影響を与え製品寿命が短くなるおそれがあった。ラッチ機構が設けられた電池パックにおいても、操作部が設けられた面が平面と当接する面となった場合に操作部が常時押されることになり、ラッチ機構を構成するバネ等に悪影響を与え製品寿命が短くなるおそれがあった。
【０００４】
そこで本発明は、ラッチ機構の機能の低下を抑制した電池パックを提供すること、及びこの電池パックの脱落を防止した電動工具を提供することを目的とする。
【課題を解決するための手段】
【０００５】
上記課題を解決するために本発明は、略方形の側面を有するハウジングと、ハウジングに設けられて電気機器と接続される接続部と、該側面に配置されて、該側面より突出する第一位置と該第一位置より突出量が小さい第二位置との間で移動可能な操作部と、該操作部に連動可能に接続されて該接続部に設けられ、該操作部が該第一位置にあるときに該電気機器と係合可能な第一係合位置に配置され、該操作部が該第二位置にあるときに該電気機器と係合不能な第二係合位置に配置される係合部と、該操作部を該側面から突出する方向に付勢する付勢部と、を備えた電池パックであって、該側面には、該側面から突出する突起部が設けられ、該突起部の突出量は、該電池パックが該側面を下側として平面上に置かれた状態で該側面の周縁と該突起部とが共に該平面と当接したとき、該操作部が該平面と非接触となるか若しくは接触しつつも該第一位置または該第一位置と該第二位置との間にあるように設定されている電池パックを提供する。
【０００６】
上記構成の電池パックにおいて、該突出部の突出量は、該電池パックが該側面を下側として平面上に置かれた状態で該周縁と該突起部とが共に該平面と当接したとき、該操作部が該平面と非接触となるか若しくは接触しつつも該第一位置にあるように設定されていてもよい。
【０００７】
このような構成によると、電池パックが側面を下側として平面に置かれた状態において、操作部は、押圧されたとしても第一位置から第二位置の手前までしか移動せず、第二位置まで移動することがない。よって付勢部にかかる負担を小さくすることができ、操作部、付勢部、係合部を含んで構成されるラッチ機構の機能の低下を抑制することができる。また操作部が第二位置に移動することが無いため、係合部に置いても第二係合位置に移動することはない。
【０００８】
特に操作部が第一位置のみにある場合には、付勢部が押圧されることがないため、ラッチ機構の機能の低下を更に抑制することができる。
【０００９】
また該ハウジングは、該側面と接続されて該接続部が設けられている上面と、該側面及び該上面と接続される後面と、該側面及び該後面と接続されて該後面の反対に位置する前面とを有し、該操作部は、該側面の該前面近傍に配置され、該周縁は、該側面と該後面との接続箇所から規定される後部側縁を有し、該突出部は、該後部側縁と該操作部との間の側面に設けられ、該突出部と該後部側縁とが当接して該平面上に置かれることが好ましい。この構成で、該側面において、該突出部と該後部側縁との間に重心位置があることが好ましい。
【００１０】
このような構成によると、電池パックを安定して平面上に置くことができ、かつ側面の操作部が設けられている部分と平面との間を離間させることができる。よって操作部が平面に当接することを抑制することができる。また重心が突出部と後部側縁との間にある場合には、電池パックが更に安定した状態で平面上に置かれるため、平面上に置かれた電池パックが動いて操作部が平面に当接することが更に抑制される。
【００１１】
また該ハウジングは、該側面と接続されて該接続部が設けられている上面と、該側面と接続されて該上面の反対に位置する下面とを有し、該操作部は、該側面の該上面近傍に配置され、該周縁は、該側面と該下面との接続箇所から規定される下部側縁を有し、該突出部は、該下部側縁と該操作部との間の側面に設けられ、該突出部と該下部側縁とが当接して該平面上に置かれていてもよい。この構成で、該側面において、該突出部と該下部側縁との間に重心位置があることが好ましい。
【００１２】
このような構成においても、電池パックを安定して平面上に置くことができ、かつ側面の操作部が設けられている部分と平面との間を離間させることができる。よって操作部が平面に当接することを抑制することができる。また重心が突出部と下部側縁との間にある場合には、電池パックが更に安定した状態で平面上に置かれるため、平面上に置かれた電池パックが動いて操作部が平面に当接することが更に抑制される。
【００１３】
また上記課題を解決するために、出力部を有する本体部と、該本体部から延出されて設けられた把持部と、該把持部に着脱可能に設けられた電池パックとを備えた電動工具であって、該電池パックは、側面を有するハウジングと、該ハウジングに設けられて該把持部と接続される接続部と、該側面に配置されて、該側面より突出する第一位置と該第一位置より突出量が小さい第二位置との間で移動可能な操作部と、該操作部に連動可能に接続されて該接続部に設けられ、該操作部が該第一位置にあるときに該把持部と係合可能な第一係合位置に配置され、該操作部が該第二位置にあるときに該把持部と係合不能な第二係合位置に配置される係合部と、該操作部を該側面から突出する方向に付勢する付勢部と、を備え、該側面には、該側面から突出する突起部が設けられ、該突起部の突出量は、該電動工具が該側面を下側として平面上に置かれた状態で該本体部と共に該平面と床面と当接したとき、該操作部が該平面と非接触となるか若しくは接触して該第一位置または該第一位置と該第二位置との間にあるように設定されている電動工具を提供する。
【００１４】
この電動工具において、該突出部の突出量は、該電動工具が該側面を下側として平面上に置かれた状態で該本体部と該突起部とが共に該平面と当接したとき、該操作部が該平面と非接触となるか若しくは接触して該第一位置にあるように設定されていてもよい。
【００１５】
このような構成によると、電動工具が側面を下側として平面に置かれた状態において、操作部は、押圧されたとしても第一位置から第二位置の手前までしか移動せず、第二位置まで移動することがない。よって操作部が第二位置に移動することが無いため、係合部においても第二係合位置に移動することはなく、係合不能となることがない。また付勢部にかかる負担を小さくすることができ、操作部、付勢部、係合部を含んで構成されるラッチ機構の機能の低下を抑制することができる。
【００１６】
特に操作部が第一位置のみにある場合には、付勢部が押圧されることがないため、係合部が第二係合位置に移動することはなく、かつラッチ機構の機能の低下を更に抑制することができる。
【００１７】
また上記課題を解決するために、出力部を有する本体部と、該本体部から延出されて設けられた把持部と、該把持部に着脱可能に設けられ側面を備える電池パックとを備えた電動工具であって、該把持部は、該電池パックを接続する被接続部と、該被接続部近傍に配置されて、該電池パックが接続された状態で該側面から突出する第一位置と該第一位置より突出量が小さい第二位置との間で移動可能な操作部と、該操作部に連動可能に接続されて該接続部に設けられ、該操作部が該第一位置にあるときに該電池パックと係合可能な第一係合位置に配置され、該操作部が該第二位置にあるときに該電池パックと係合不能な第二係合位置に配置される係合部と、該操作部を側面から突出する方向に付勢する付勢部と、を有し、該電池パックは、側面を有するハウジングと、該ハウジングに設けられて該被接続部と接続される接続部と、該接続部に設けられて該係合部と係合する被係合部と、を備え、該側面には、該側面から突出する突起部が設けられ、該突起部の突出量は、該電動工具が該側面を下側として平面上に置かれた状態で該本体部と共に該平面と床面と当接したとき、該操作部が該平面と非接触となるか若しくは接触して該第一位置または該第一位置と該第二位置との間にあるように設定されている電動工具を提供する。
【００１８】
この電動工具において、該突出部の突出量は、該電動工具が該側面を下側として平面上に置かれた状態で該本体部と該突起部とが共に該平面と当接したとき、該操作部が該平面と非接触となるか若しくは接触して該第一位置にあるように設定されていてもよい。
【発明の効果】
【００１９】
本発明の電池パック及び電動工具によれば、電池パックが電動工具の外枠からはずれるのを防止することができ、かつラッチ機構の機能の低下を抑制することができる。
【発明を実施するための最良の形態】
【００２０】
以下、本発明の実施の形態による電池パック及び電池パックを備えた電動工具について図１乃至図７に基づき説明する。図１に示される電動工具であるドリル１は、本体部２と、ハンドル３と、電池パック１０とを主に備えて構成されている。
【００２１】
本体部２は、内部に図示せぬモータを内蔵しており、先端部分に出力部であってドリルビット２０を装着可能な工具保持部２Ａが設けられている。
【００２２】
ハンドル３は本体部２の前端部分から延出されており、その延出部分の基端部分には、トリガ３Ａが設けられている。トリガ３Ａは、電池パック１０から図示せぬモータに供給される電気を制御している。またハンドル３の延出方向先端部分には、電池パック１０が接続される図示せぬ被接続部が設けられており、図示せぬ被接続部には、図示せぬ複数の端子と、後述のノッチ機構１３が係合する図示せぬ被係合部を有する図示せぬリブが設けられている。
【００２３】
電池パック１０は、ハンドル３の延出方向先端に設けられている。図２に示されるように、電池パック１０は、ハウジング１１と、接続部１２と、ノッチ機構１３と、から主に構成されている。
【００２４】
ハウジング１１は略直方体を成しており接続部１２が設けられ、内部に図示せぬ制御基板が配置される上部ハウジング１４と、図示せぬ電池が内蔵されている下部ハウジング１５と、から構成されている。下部ハウジング１５内に内蔵されている図示せぬ電池は、ニッケル水素電池若しくはリチウムイオン電池であり、複数回充放電可能な電池である。
【００２５】
ハウジング１１において、接続部１２が設けられている面であって、略直方体の一面を構成する面を上面１１Ａと定義し、上面１１Ａの反対面を下面１１Ｄと定義する。上面１１Ａ及び下面１１Ｄと接続される両側面であってノッチ機構１３がそれぞれ設けられる面を側面１１Ｂ、１１Ｂ（図３）と定義する。この側面１１Ｂは上面１１Ａの両側に位置するが、対称な形状であるため、代表として一方の側面１１Ｂのみについて説明する。また上面１１Ａ及び側面１１Ｂと接続される面であって後述の端子挿入部１２Ａの隙間が開口する方向に位置する面を後面１１Ｃと定義し、後面の反対面を前面１１Ｅと定義する。側面１１Ｂの周縁であって、後面１１Ｃと接続される部分の周縁を後部側縁１１ａと定義し、上面１１Ａの反対面となる下面１１Ｄと接続される部分の周縁を下部側縁１１ｂと定義する。よって電池パック１０において、上面１１Ａから下面１１Ｄに向かう方向を上下方向、一方の側面１１Ｂから他方の側面１１Ｂに向かう方向を側面方向、上下方向及び側面方向と直交する後面１１Ｃから前面１１Ｅに向かう方向を前後方向と定義する。
【００２６】
側面１１Ｂにおいて、上面１１Ａ近傍位置となる上部ハウジング１４側位置に、側面１１Ｂから突出する突起部１４Ａが設けられている。突起部１４Ａは一方の側面１１Ｂの反対側に位置する側面１１Ｂにも同一形状に設けられている（図３）。また電池パック１０は、側面１１Ｂ上の前後方向において突起部１４Ａと後部側縁１１ａとの間に重心がくるように構成されている。
【００２７】
図２に示されるように、接続部１２は、端子挿入部１２Ａと一対のリブ１２Ｂ、１２Ｂとを主に備えている。端子挿入部１２Ａは、後面１１Ｃ側に向かって開口する複数のスロット１２ａを備え、このスロット１２ａ内には端子１２Ｃ（図３）が配置されている。リブ１２Ｂ、１２Ｂは、上面１１Ａの両側面１１Ｂ、１１Ｂ側にそれぞれ設けられており、前面１１Ｅ側から後面１１Ｃ側へ向かって前後方向と略平行に伸びている。このリブ１２Ｂ、１２Ｂと上面１１Ａを構成する上部ハウジング１４とにより、リブ１２Ｂと平行に延びるガイド溝１２ｂ、１２ｂが規定されている。
【００２８】
図３に示されるように、ノッチ機構１３、１３は、上部ハウジング１４の両側側に対称な形状で一対設けられており、それぞれ操作部１３Ａと、係合部１３Ｂと付勢部１３Ｃとから主に構成されている。一対のノッチ機構１３、１３は、対称な形状であるため、代表として片方のみのノッチ機構１３について説明する。操作部１３Ａは、側面１１Ｂより突出していると共に、側面１１Ｂの前面１１Ｅ側周縁と突起部１４Ａとの間の位置であって上面１１Ａ側周縁近傍となる位置に上下方向に延びる図示せぬ軸を中心として回動可能に設けられている。操作部１３Ａの側面１１Ｂからの突出量は、最も突出した状態で突起部１４Ａの側面１１Ｂからの突出量と略等しくなるように構成されている。操作部１３Ａが側面１１Ｂから最も突出している状態を、ハンドル３から電池パック１０を着脱不能な第一位置と規定し、最も突出量が少ない状態（図４に示されるように、側面１１Ｂと略面一となる状態）をハンドル３から電池パック１０を着脱可能な第二位置と規定する。
【００２９】
係合部１３Ｂは操作部１３Ａと一体に形成されており、接続部１２においてガイド溝１２ｂ内に突出可能に配置されている。係合部１３Ｂは操作部１３Ａと連動して動き、図３に示されるように操作部１３Ａが第一位置にあるときにはガイド溝１２ｂ内に突出してハンドル３と係合可能な第一係合位置にあり、図４に示されるように操作部１３Ａが第二位置にあるときにはガイド溝１２ｂ内に突出せずに上部ハウジング１４内に収容されハンドル３と係合不能な第二係合位置にあるように構成されている。
【００３０】
付勢部１３Ｃは、コイルスプリングから構成されており、操作部１３Ａと当接して操作部１３Ａを側面１１Ｂから突出する方向に付勢している。よって図３に示されるように、ノッチ機構１３において特に外力が加えられない場合には、操作部１３Ａは付勢部１３Ｃの付勢力により側面１１Ｂから突出する第一位置にあり、操作部１３Ａに連動する係合部１３Ｂはガイド溝１２ｂ内に突出する第一係合位置にある。
【００３１】
この電池パック１０を平面な床面に置く場合には、通常は下面１１Ｄを接地する面とする。しかし電池パック１０は略直方体形状であるため、転がったりして側面１１Ｂが接地する面となって置かれることがある。電池パック１０の重心位置は突起部１４Ａと後部側縁１１ａとの間にあるため、電池パック１０が側面１１Ｂを接地する面として置かれた場合には、図５に示されるように、後部側縁１１ａと突起部１４Ａとが接地箇所になる。この場合において操作部１３Ａは、その突出量が突起部１４Ａと略等しく、かつ突起部１４Ａと比較して後部側縁１１ａから遠い位置にあるため、床と接触せずに常に第一位置にある。よって付勢部１３Ｃに負荷がかかることはなく、ノッチ機構１３全体としてその機能が低下することが抑制される。
【００３２】
また電池パック１０が転がって側面１１Ｂが床面と接地する面となって置かれた場合に、図６に示されるように下部側縁１１ｂと突起部１４Ａとが設置個所になる場合もある。この場合においては、操作部１３Ａも床面に接地して付勢され、第一位置から移動した状態になる。しかし、突起部１４Ａが接地していることにより操作部１３Ａの移動量は僅かとなり、故に付勢部１３Ｃにかかる負荷も僅かとなり、ノッチ機構１３全体としてその機能が低下することが抑制される。
【００３３】
電池パック１０をハンドル３に装着する際は、ハンドル３の被接続部に設けられた図示せぬリブをガイド溝１２ｂ内に挿入して電池パック１０を後側へと移動させ、ハンドル３側の複数の端子を端子挿入部１２Ａのスロット１２ａ内に挿入する。そして図示せぬリブ上に設けられた図示せぬ被係合部と係合部１３Ｂとを係合させる。図示せぬ被係合部と係合部１３Ｂとが係合することにより、電池パック１０がハンドル３に対して前方に移動することができなくなるので、電池パック１０がハンドル３に接続された状態が保たれる。
【００３４】
上記構成のドリル１においては、作業中は常にハンドル３を持って作業するため、操作部１３Ａが意図されずに押されることはない。しかし作業中断中や作業終了後などにドリル１を床面に置く場合には、側面１１Ｂを床面と接地するように置くことが多い。突起部１４Ａがない場合には、側面１１Ｂに設けられている操作部１３Ａが床面と当接して第二位置まで移動し、係合部１３Ｂと図示せぬ被係合部との間の係合が解かれるおそれがある。この場合に接続部１２において端子１２Ｃがハンドル３側の図示せぬ端子から外れ、若しくは電池パック１０がハンドル３から外れるおそれがある。
【００３５】
しかし本実施の形態の図７に示されるように、ドリル１を床面上に置いた場合には、ドリル１の本体部２（図１）と側面１１Ｂの突起部１４Ａとが接地し、操作部１３Ａは、床面に非接地か、若しくは接地したとしても殆ど付勢されることがない状態にある。この状態において操作部１３Ａは第二位置まで移動することは無く、故に係合部１３Ｂもガイド溝１２ｂから非突出状態で被係合部と係合することがない第二係合位置まで移動することはない。従って係合部１３Ｂと図示せぬ被係合部との間の係合が解かれることは無く、電池パック１０がハンドル３から外れることが防止される。また操作部１３Ａが過度に付勢されないため、付勢部１３Ｃにかかる負荷も僅かとなり、ノッチ機構１３全体としてその機能が低下することが抑制される。
【００３６】
本発明による電池パック及び電動工具は、上述した実施の形態に限定されず、特許請求の範囲に記載した範囲で種々の変形や改良が可能である。例えば、電池パック１０において、操作部１３Ａと後部側縁１１ａとの間に突起部１４Ａを配置したが、これに限らず操作部１３Ａと下部側縁１１ｂとの間に突起部１４Ａを配置してもよい。このような構成によると、下部側縁１１ｂと突起部１４Ａとにより床面に接地した場合に、操作部１３Ａが床面と非接地の状態になり、付勢部１３Ｃに負担がかかることがない。この場合においては、電池パック１０の重心が、上下方向に置いて下部側縁１１ｂと突起部１４Ａとの間にあることが好ましい。
【００３７】
また本実施の形態では、両側面１１Ｂ、１１Ｂにそれぞれノッチ機構１３、１３が設けられているため、両側面１１Ｂ、１１Ｂにそれぞれ突起部１４Ａが設けられている。しかしノッチ機構１３が片方の側面１１Ｂのみに設けられている場合には、突起部１４Ａは両側面１１Ｂ、１１Ｂに設けられる必要はなく、ノッチ機構１３が設けられている側面１１Ｂのみに配置されていればよい。
【００３８】
またノッチ機構１３が電池パック１０側にある電動工具に限らず、ハンドル側にノッチ機構がある電動工具においても同様の効果を得ることができる。具体的にはハンドルに配置された操作部が、電池パックの側面から突出するように設けられていれば、電池パックに突起部を設けることにより、上述の実施の形態と同様に電動工具を床面に置いた場合、操作部が床面と接触することを抑制することができる。
【００３９】
また本発明においては、操作部１３Ａを含むノッチ機構１３が電池パック１０の前側に設けられている例を説明したがこれに限らず、ノッチ機構１３が電池パック１０の後側に設けられた電動工具についても本発明を適用することができる。この場合においては、本発明で規定した「前後」を入れ換えることにより本発明と同様の効果を得ることができる。
【産業上の利用可能性】
【００４０】
本発明電池パック及び電動工具は、手動で扱う電動工具及びこの電動工具に用いられる電池パックにおいて利用することができる。
【図面の簡単な説明】
【００４１】
【図１】本発明の実施の形態に係る電動工具の側面図。
【図２】本発明の実施の形態に係る電池パックの斜視図。
【図３】本発明の実施の形態に係る電池パックの接続部付近での断面図（第一位置、第一係合位置）。
【図４】本発明の実施の形態に係る電池パックの接続部付近での断面図（第二位置、第二係合位置）。
【図５】本発明の実施の形態に係る電池パックを床面に置いた状態の図（後部側縁接地）。
【図６】本発明の実施の形態に係る電池パックを床面に置いた状態の図（下部側縁接地）。
【図７】本発明の実施の形態に係る電動工具を床面に置いた状態の図。
【符号の説明】
【００４２】
１・・ドリル  ２・・本体部  ２Ａ・・工具保持部  ３・・ハンドル  ３Ａ・・トリガ
１０・・電池パック  １１・・ハウジング  １１Ａ・・上面  １１Ｂ・・側面
１１Ｃ・・後面  １１Ｄ・・下面  １１Ｅ・・前面  １１ａ・・後部側縁
１１ｂ・・下部側縁  １２・・接続部  １２Ａ・・端子挿入部  １２Ｂ・・リブ
１２Ｃ・・端子  １２ａ・・スロット  １２ｂ・・ガイド溝  １３・・ノッチ機構
１３Ａ・・操作部  １３Ｂ・・係合部  １３Ｃ・・付勢部  １４・・上部ハウジング
１４Ａ・・突起部  １５・・下部ハウジング
【図１】
2008066144.tif 000003
【図２】
2008066144.tif 000004
【図３】
2008066144.tif 000005
【図４】
2008066144.tif 000006
【図５】
2008066144.tif 000007
【図６】
2008066144.tif 000008
【図７】
2008066144.tif 000009